(57)【要約】【課題】  キャップと容器を分別廃棄する際に、上蓋を回転させる方向を左右どちらの方向に回転させても、キャップ本体の一部を切断し、変形させ、容器とヒンジキャップを簡単に分別廃棄できるヒンジキャップを提供すること。【解決手段】  容器の口筒部に取着されるキャップ本体と上蓋とからなるヒンジキャップにおいて、キャップ本体は、注出筒と、容器の口筒部に装着される係合筒部と、係合筒部の外側に連設され、外周上端の所定の位置にヒンジが連設される外周壁部を具え、係合筒部は、リング状の上壁と、上壁の内周縁に外周上端が連設された内筒と、上壁の外周縁に内周上端が連設された外筒とを具え、外筒の外周のヒンジの反対側には、連結部が設けられ、外周壁部は、ヒンジが連設する両側の位置に、それぞれ一定の横回転で切断可能な切断部が設けられ、外周壁部内周と外筒外周とのヒンジ側上面は、左切断部と右切断部の付近に窓部を設けた薄肉の上壁によって連設されていることを特徴とする。【選択図】  図１
2010036919.tif 000002
【特許請求の範囲】
【請求項１】
容器の口筒部に取着されるキャップ本体と上蓋とからなるヒンジキャップにおいて、
キャップ本体は、注出筒と、容器の口筒部に装着される係合筒部と、係合筒部の外側に連設され、外周上端の所定の位置にヒンジが連設される外周壁部を具え、
係合筒部は、リング状の上壁と、上壁の内周縁に外周上端が連設された内筒と、上壁の外周縁に内周上端が連設された外筒とを具え、
外筒の外周のヒンジの反対側には、連結部が設けられ、
外周壁部は、ヒンジが連設する両側の位置に、それぞれ一定の横回転で切断可能な切断部が設けられ、
外周壁部内周と外筒外周とのヒンジ側上面は、左切断部と右切断部の付近に窓部を設けた薄肉の上壁によって連設されていることを特徴とするヒンジキャップ。
【請求項２】
切断部は、それぞれ上端に切込みと、切込みの下端より下方に向かい外周壁部の内周に凹設された上縦切断溝と、上縦切断溝の下端よりヒンジの中心に向かい傾斜して下方に延びる外周壁部の内周に凹設された下傾斜切断溝により形成されていることを特徴とする請求項１記載のヒンジキャップ。
【請求項３】
ヒンジ側薄肉上壁は、中心側のある程度の肉厚の肉厚部と、肉厚部の両側に肉厚部より薄肉に形成される肉薄部とからなっていることを特徴とする請求項１または２記載のヒンジキャップ。
【発明の詳細な説明】
【技術分野】
【０００１】
本発明は、ヒンジキャップ、とくに、廃棄時に、容器から簡単に分別できるヒンジキャップに関するものである。
【背景技術】
【０００２】
内容液を充填した容器口筒部に取着するヒンジキャップにおいて、内容液を全て使用した後に、上蓋をキャップ本体に対して引下げた後、上蓋を回転方向に引張り、キャップ本体の一部を切断し、変形させることによって、容器とヒンジキャップを簡単に分別廃棄できるヒンジキャップは、従来より知られている（例えば、特許文献１参照）。
【特許文献１】特開２００３−２０５９５５
【発明の開示】
【発明が解決しようとする課題】
【０００３】
しかしながら、上記特許文献１記載のキャップでは、上蓋をキャップ本体に対して引下げた後、上蓋を回転させる方向が、キャップ本体の一部を切断する関係上、一方向にしか設定できないため、一般的に、このようなヒンジキャップは、右利きの人の利き手に対して力の入る回転方向に設定して、簡単にキャップ本体の一部を切断することができるようにしている。
このため、左利きの人は、利き手に対して力の入る回転方向の反対方向に回転させなくてはならず、キャップ本体の一部を切断するのに苦労するという問題があった。
【０００４】
本発明は、上記問題を解決することを課題とし、キャップと容器を分別廃棄する際に、上蓋を回転させる方向を左右どちらの方向に回転させても、キャップ本体の一部を切断し、変形させ、容器とヒンジキャップを簡単に分別廃棄できるヒンジキャップを提供することを目的とする。
【課題を解決するための手段】
【０００５】
本発明は、上記の課題を解決するため、ヒンジキャップとして、容器の口筒部に取着されるキャップ本体と上蓋とからなるヒンジキャップにおいて、キャップ本体は、注出筒と、容器の口筒部に装着される係合筒部と、係合筒部の外側に連設され、外周上端の所定の位置にヒンジが連設される外周壁部を具え、係合筒部は、リング状の上壁と、上壁の内周縁に外周上端が連設された内筒と、上壁の外周縁に内周上端が連設された外筒とを具え、外筒の外周のヒンジの反対側には、連結部が設けられ、外周壁部は、ヒンジが連設する両側の位置に、それぞれ一定の横回転で切断可能な切断部が設けられ、外周壁部内周と外筒外周とのヒンジ側上面は、左切断部と右切断部の付近に窓部を設けた薄肉の上壁によって連設されていることを特徴とする構成を採用する。
【０００６】
切断部の実施例として、切断部は、それぞれ上端に切込みと、切込みの下端より下方に向かい外周壁部の内周に凹設された上縦切断溝と、上縦切断溝の下端よりヒンジの中心に向かい傾斜して下方に延びる外周壁部の内周に凹設された下傾斜切断溝により形成されていることを特徴とする構成を採用し、また、ヒンジ側薄肉上壁は、中心側のある程度の肉厚の肉厚部と、肉厚部の両側に肉厚部より薄肉に形成される肉薄部とからなっていることを特徴とする構成を採用する。
【発明の効果】
【０００７】
容器の口筒部に取着されるキャップ本体と上蓋とからなるヒンジキャップにおいて、キャップ本体は、注出筒と、容器の口筒部に装着される係合筒部と、係合筒部の外側に連設され、外周上端の所定の位置にヒンジが連設される外周壁部を具え、係合筒部の外筒の外周のヒンジの反対側には、連結部が設けられ、外周壁部は、ヒンジが連設する両側の位置に一定の横回転で切断可能な切断部が設けられ、外周壁部内周と外筒外周との上端には、横回転で切断可能なヒンジ側薄肉上壁が設けられているので、上蓋を回転させる方向を左右どちらの方向に回転させても、同じく簡単にキャップ本体の一部を切断し、変形させて容器とヒンジキャップを簡単に分別廃棄できる。
【発明を実施するための最良の形態】
【０００８】
次に、本発明のヒンジキャップについて、図面を参照して説明する。
図１において、Ａは容器の口筒部に取着されるキャップ本体、Ｂはキャップ本体ＡにヒンジＣを介して一体成形された上蓋である。
【０００９】
キャップ本体Ａは、図１、２に示すように、注出筒１と、注出筒１の外側に連設され、容器の口筒部に装着される係合筒部２と、係合筒部２の外側に連設され、外周上端の所定の位置にヒンジＣが連設される外周壁部３とを具えている。
【００１０】
注出筒１の内周下部には、隔壁４が設けられており、隔壁４には、抜栓して注出口を開口する除去部５が設けられている。
【００１１】
係合筒部２は、リング状の上壁６と、上壁６の内周縁に外周上端が連設された内筒７と、上壁６の外周縁に内周上端が連設された外筒８と、上壁６の上部に立設され、上蓋Ｂと係合する蓋係合部９とからなっている。
【００１２】
内筒７の下端内方には、環状壁１０が設けられ、環状壁１０の内縁には、注出筒１が連設されている。
【００１３】
外筒８の内周下端には、取着時に、容器の口筒部の外周に係合する係合突部１１が設けられている。
外筒８の外周のヒンジＣの反対側には、連結部１２が設けられている。
【００１４】
図１（ａ）に示すように、キャップ本体Ａを上方から見て、ヒンジＣの反対側を前側として右側、左側と定義すると、外周壁部３には、ヒンジＣが連設する両側の位置に上端から下端まで切断可能な左切断部１３と右切断部１４が設けられ、ヒンジＣの反対側の連結部１２を介して外筒８外周と連結している連結部３ａと、連結部３ａの左側から左切断部１３に延びる左側壁部３ｂと、連結部３ａの右側から右切断部１４に延びる右側壁部３ｃと、左切断部１３から右切断部１４とをつなぐとともに、外周上部にヒンジＣを連設するヒンジ連設部３ｄとに区画されている。
【００１５】
左切断部１３は、図２（ａ）に示すように、上端に外周壁部３の内周から外周まで切込まれた切込み１３ａと、切込み１３ａの下端より下方に向かい外周壁部３の内周に凹設された上縦切断溝１３ｂと、上縦切断溝１３ｂの下端よりヒンジＣの中心に向かって傾斜して下方に延びる外周壁部３の内周に凹設された下傾斜切断溝１３ｃとによって形成されている。
右切断部１４は、左切断部１３と同様に、切込み１４ａと、上縦切断溝１４ｂと下傾斜切断部１４ｃとによって形成されている。
【００１６】
外周壁部３内周と外筒８外周との上端には、左側壁部３ｂおよび右側壁部３ｃと外筒８とを連結する切断可能な左側薄肉上壁１５、および右側薄肉上壁１６と、ヒンジ連設部３ｄと外筒８とを連結する切断可能なヒンジ側薄肉上壁１７とが設けられており、連結部１２の上面とともに、左切断部１３および右切断部１４付近に窓部１８ａ、１８ｂを設けた平坦な上面が形成されている。
【００１７】
ヒンジ側薄肉上壁１７は、図２（ｂ）に示すように、中心側のある程度の肉厚の肉厚部１７ａと、肉厚部１７ａの両側に肉厚部１７ａより薄肉に形成される肉薄部１７ｂ、１７ｃとからなっている。
【００１８】
上蓋Ｂは、頂壁２０と、頂壁２０の周縁に垂設される外周壁２１とを具えており、外周壁２１の内周下部には、キャップ本体Ａの係合筒部２の蓋係合部９と係合する係合部２２が設けられている。
【００１９】
次に、本発明のヒンジキャップの作用効果について説明する。
本発明は、上蓋Ｂの外周壁２１の係合部２２とキャップ本体Ａの係合筒部２の蓋係合部９とを係合させて閉蓋した後、内容液を充填した容器の口筒部に閉蓋したヒンジキャップを上方から打栓する。
【００２０】
打栓時には、キャップ本体Ａの係合筒部２の内筒７外周と、外筒８の内周により、容器の口筒部を挟持するとともに、キャップ本体Ａの係合突部１１が、容器の口筒部外周と係合し、キャップ本体Ａの抜け落ちを防止して容器の口筒部に装着される。
【００２１】
内容液を全て使用した後、ヒンジキャップを容器から取外して分別廃棄する際には、まず、上蓋Ｂを開蓋した後、使用者が右利きの場合、一般的に、右手で上蓋Ｂを把持し、下後方とともに右回転方向に引張る。  
【００２２】
上蓋Ｂを右回転方向に引張ると、図３（ａ）に示すように、ヒンジＣを介して、キャップ本体Ａの外周壁部３のヒンジ連設部３ｄに右回転方向の力が掛かり、左切断部１３を切断していくとともに、外周壁部３と外筒８との間のヒンジ側薄肉上壁１７を窓部１８ａ側から切断していく。
【００２３】
左切断部１３は、切込み１３ａにより、上縦切断溝１３ｂを上方から簡単に切断することができ、さらに、上縦切断溝１３ｂを切断した後、右回転方向に力が加わることで、下傾斜切断溝１３ｃがヒンジＣの中心側に向かい上方から下方に切断することができる。
【００２４】
ヒンジ側薄肉上壁１７は、下後方に掛かる力には、肉厚部１７ａにより、切断するのにある程度の力が必要となって抵抗となり、ヒンジ側薄肉上壁１７が下後方に掛かる力で切断されることを防止することができる。
また、右回転方向に力が掛かることで、窓部１８ａ側の肉薄部１７ｂの端部に力が掛かり、肉薄部１７ｂが簡単に切断され、次いで、肉厚部１７ａが切断されていき、ヒンジ側薄肉上壁１７は簡単に切断することができる。
【００２５】
また、ヒンジ側薄肉上壁１７が下後方に掛かる力で切断することを防止しているので、ヒンジ連設部３ｄの下後方に対する変形を防止し、右切断部１４に力が掛かって切断されることを防止することができる。
【００２６】
左切断部１３およびヒンジ側薄肉上壁１７を切断した後、さらに上蓋Ｂを右回転方向に引張り、ヒンジ連設部３ｄを引張ると、図３（ｂ）に示すように、右側壁部３ｃが引張られて外筒８から離れていくとともに、右側薄肉上壁１６を切断していく。
【００２７】
左切断部１３、およびヒンジ側薄肉上壁１７を切断した後、ヒンジ連設部３ｄを引張ると、右切断部１４にも力が掛かるが、右切断部１４の上縦切断溝１４ｂが切断されたとしても、下傾斜切断部１４ｃがヒンジＣ側に傾斜しているため右回転方向の力に対して抵抗となって切断されないので、右切断部１４が右回転方向の力に対して完全に切断されることを防止することができる。
【００２８】
右側壁部３ｃが外筒８から離れて、さらに引張ると、右側壁部３ｃが連結部１２を引張り、さらに外筒８のヒンジＣの反対側を引張って変形させ、外筒８と容器の口筒部外周との係合を外し、最後に上に引張ると、キャップ本体Ａを簡単に容器の口筒部から外して分別廃棄することができる。
【００２９】
次に、使用者が左利きの場合、一般的に、左手で上蓋Ｂを把持し、下後方とともに左回転方向に引張る。  
上蓋Ｂを左回転方向に引張ると、図４（ａ）に示すように、ヒンジＣを介して、キャップ本体Ａの外周壁部３のヒンジ連設部３ｄに左回転方向の力が掛かり、右切断部１４を切断していくとともに、外周壁部３と外筒８との間のヒンジ側薄肉上壁１７を窓部１８ｂ側から切断していく。
【００３０】
右切断部１４は、切込み１４ａにより、上縦切断溝１４ｂを上方から簡単に切断することができ、さらに、上縦切断溝１４ｂを切断した後、左回転方向に力が加わると、下傾斜切断部１４ｃがヒンジＣの中心側に向かい上方から下方に切断することができる。
【００３１】
ヒンジ側薄肉上壁１７は、ヒンジ側薄肉上壁１７が下後方に掛かる力で切断されることを防止することができ、左回転方向に力が掛かると、窓部１８ｂ側の肉薄部１７ｃの端部に力が掛かり、肉薄部１７ｃが簡単に切断され、次いで、肉厚部１７ａが切断されていき、ヒンジ側薄肉上壁１７は簡単に切断することができる。
【００３２】
右切断部１４およびヒンジ側薄肉上壁１７を切断した後、さらに上蓋Ｂを左回転方向に引張り、ヒンジ連設部３ｄを引張ると、図４（ｂ）に示すように、左側壁部３ｂが引張られて外筒８から離れていくとともに、左側薄肉上壁１５を切断していく。
【００３３】
右切断部１４およびヒンジ側薄肉上壁１７を切断した後、ヒンジ連設部３ｄを引張ると、左切断部１３にも力が掛かるが、左切断部１３の上縦切断溝１３ｂが切断されたとしても、下傾斜切断溝１３ｃがヒンジＣ側に傾斜しているため左回転方向の力に対して抵抗となって切断されないので、左切断部１３が左回転方向の力に対して完全に切断されることを防止することができる。
【００３４】
左側壁部３ｂが外筒８から離れて、さらに引張ると、左側壁部３ｂが連結部１２を引張り、さらに外筒８のヒンジＣの反対側を引張って変形させ、外筒８と容器の口筒部外周との係合を外し、最後に上に引張ると、キャップ本体Ａを簡単に容器の口筒部から外して分別廃棄することができる。
【００３５】
本発明のヒンジキャップは、使用者が右利き、または、左利きなどによる回転させる方向を気にすることなく、簡単にヒンジキャップを容器から外し、分別廃棄することができる。
【００３６】
本発明のヒンジキャップは、外周壁部３内周と外筒８外周との間の上端に左側薄肉上壁１５と、右側薄肉上壁１６と、ヒンジ側薄肉上壁１７と、連結部１２により、平坦な上面が形成されているので、外周壁部３と外筒８との間に、液が流れ落ちることを防止することができる。
また、窓部１８ａ、１８ｂが設けられているので、左切断部１３または右切断部１４を切断する際に、窓部１８ａ、１８ｂが上壁を切り裂く際の案内となる。
【産業上の利用可能性】
【００３７】
本発明は、ヒンジキャップにおいて、上蓋を右回転または左回転方向のどちらかに使用者の意図で選択して引張ることによって、簡単にヒンジキャップを容器口部から取外して分別廃棄することができるので、各種の内容液の容器の分別廃棄可能のヒンジキャップとして、広く利用することができる。
【図面の簡単な説明】
【００３８】
【図１】本発明ヒンジキャップの説明図で、（ａ）は上面図、（ｂ）は断面側面図である。
【図２】ヒンジキャップの説明図で、（ａ）はヒンジ側の側面図、（ｂ）はヒンジ側薄肉上壁の説明図である。
【図３】上蓋を引張り、右回転させた時の説明図で、（ａ）はヒンジ側薄肉上壁および左切断部の切断時、（ｂ）は右側薄肉上壁の切断時である。
【図４】上蓋を引張り、左回転させた時の説明図で、（ａ）はヒンジ側薄肉上壁および右切断部の切断時、（ｂ）は左側薄肉上壁の切断時である。
【符号の説明】
【００３９】
Ａ          キャップ本体
Ｂ          上蓋
Ｃ          ヒンジ
１          注出筒
２          係合筒部
３          外周壁部
３ａ        連結部
３ｂ        左側壁部
３ｃ        右側壁部
３ｄ        ヒンジ連設部
４          隔壁
５          除去部
６          上壁
７          内筒
８          外筒
９          蓋係合部
１０        環状壁
１１        係合突部
１２        連結部
１３        左切断部
１３ａ、１４ａ  切込み
１３ｂ、１４ｂ  上縦切断溝
１３ｃ、１４ｃ  下傾斜切断溝
１４        右切断部
１５        左側薄肉上壁
１６        右側薄肉上壁
１７        ヒンジ側薄肉上壁
１７ａ      肉厚部
１７ｂ、１７ｃ  肉薄部
１８ａ、１８ｂ  窓部
２０        頂壁
２１        外周壁
２２        係合部
【図１】
2010036919.tif 000003
【図２】
2010036919.tif 000004
【図３】
2010036919.tif 000005
【図４】
2010036919.tif 000006